(57)【要約】【解決手段】本発明は、歯車列（４２）を介して、時間に関連又は関連しない機能の表示が意図された少なくとも１つの可動部（３０）を駆動する作動モジュール（４０）を備える主板（１０）を備える電子機械的時計モジュール（１）が、  無線信号を送信及び／又は受信する無線通信モジュール（２）と、  受信した無線信号によって作動モジュール（４０）を制御すべく形成されている制御ユニット（６）と、  導電性材料から形成されていて、互いに電気的接触をなすが時計モジュール（１）の他の部分からは電気的に絶縁されている、可動部（３０）及び歯車列（４２）と、を備えて、  可動部（３０）は通信モジュール（２）に電気的に接続されていて、無線信号の送信及び／又は受信のためのアンテナとして作動し、可動部（３０）と無線通信モジュール（２）との間に無線信号を送信する、電子機械的時計モジュールに関する。
2020531810.tif 000002
【特許請求の範囲】
【請求項１】
歯車列（４２）を介して、時間に関連又は関連しない機能の表示が意図された少なくとも１つの可動部（３０）を駆動する作動モジュール（４０）を備える主板（１０）を備える電子機械的時計モジュール（１）において、
無線信号を送信及び／又は受信する無線通信モジュール（２）と、
受信した無線信号によって作動モジュール（４０）を制御すべく形成されている制御ユニット（６）と、
導電性材料から形成されていて、互いに電気的接触をなすが時計モジュール（１）の他の部分からは電気的に絶縁されている、可動部（３０）及び歯車列（４２）と、
を備えて、
可動部（３０）は通信モジュール（２）に電気的に接続されていて、無線信号の送信及び／又は受信のためのアンテナとして作動し、可動部（３０）と無線通信モジュール（２）との間に無線信号を送信する、
電子機械的時計モジュール（１）。
【請求項２】
作動モジュール（４０）は、モータ（４１）と、モータ（４１）の動きを可動部（３０）に伝える歯車列（４２）とを備え、作動モジュール（４０）は主板（１０）に電気的に接続されていない、請求項１に記載のモジュール。
【請求項３】
作動モジュール（４０）は、歯車列（４２）を支持する歯車列板（４３）を備え、歯車列板（４３）は非導電性材料から製造されている、請求項１又は２に記載のモジュール。
【請求項４】
可動部（３０）と無線通信モジュール（２）との間に無線信号を送信するばね要素を備える、請求項１から３のいずれか一項に記載のモジュール。
【請求項５】
可動部（３０）と歯車列（４２）とは、約５０オームのアンテナ抵抗を持つべく形成されている、請求項１から４のいずれか一項に記載のモジュール。
【請求項６】
約５０オームのアンテナ抵抗は、可動部（３０）と、歯車列板（４３）と、歯車列（４２）とを形成する材料の選択によって得られている、請求項５に記載のモジュール。
【請求項７】
可動部（３０）は、主板（１０）の平面内で旋回可能に設けられているディスク（３２）を備える、請求項１から６のいずれか一項に記載のモジュール。
【請求項８】
可動部（３０）は、主板（１０）の平面内で旋回可能に設けられている少なくとも１つ針（３１ａ、３１ｂ、３１ｃ）を備える、請求項１から６のいずれか一項に記載のモジュール。
【請求項９】
針（３１ａ、３１ｂ、３１ｃ）の角度位置によるインピーダンスを整合する容量性回路を備える、請求項８に記載のモジュール。
【請求項１０】
モータ（４１）は双方向ステッピングモータを備える、請求項１から９のいずれか一項に記載のモジュール。
【請求項１１】
主板（１０）はプリント回路基板を備える、請求項１から１０のいずれか一項に記載のモジュール。
【請求項１２】
可動部（３０）と歯車列（４２）とから電気的に絶縁されている文字板を備える、請求項１から１１のいずれか一項に記載のモジュール。
【請求項１３】
請求項１から１２のいずれか一項に記載のモジュール（１）を保有するケースを備える腕時計において、ケースが、可動部（３０）と歯車列（４２）とから電気的に絶縁されている、腕時計。
【発明の詳細な説明】
【技術分野】
【０００１】
本発明は、無線信号を送信及び／又は受信するためのアンテナを備える電気機械式時計モジュールに関する。
【背景技術】
【０００２】
無線通信機能を有する時計が知られている。そのためには、時計の限られたスペースにアンテナを配置する必要がある。アンテナの受信は導電性材料の近くで中断されるため、アンテナは多くの場合ケーシングの外側に配置されている。例えば、特許文献１及び特許文献２では、アンテナがストラップに組み込まれている。このような配置には、アンテナが破損しやすいという欠点がある。それ以外の場合、アンテナはほとんどの場合、時計の文字盤の周りに配置され、時計の金属製のケースが接地面として機能する。アンテナは、時計のベゼルに配置されることもある。
【０００３】
しかしながら、アンテナを外部に配置することは、時計の審美的基準に適合しないという欠点を有する。特に、時計の外部部品は、ケースや文字板のように、高精度の仕上げが施された金属部品で構成されることが好ましい。ケースの外部に配置されたアンテナは、時計の魅力を損なうため、外部の外観を損なわないように覆う必要がある。
【０００４】
より最近の開発において、アンテナは、ケースの下の文字板の下に収容されている。このような配置では、時計の動きとアンテナの間の機械的及び電気的接続は、外部干渉に対してあまり開かれていない。
【０００５】
特許文献３では、アンテナは、非金属製の文字盤を含む非金属製ケースに収容されている。しかし、非金属で製造されたケースと文字板は、時計製造業界で通常受け入れられている審美的基準を必ずしも満たしていない。さらに、このようなケースと文字板では、期待される機械的特性を得られない。
【０００６】
さらに、外部部品が金属製である場合、外部部品はアンテナに対して電磁シールドの役割を果たし、アンテナの性能は不十分になる。したがって、課題は、時計及び文字盤の外部部品の製造に従来使用されてきた材料を使用しながら、一貫したアンテナの受信及び放射品質を確保することである。
【０００７】
特許文献４では、環状アンテナがケーシング内に収容されていて、それは金属文字板を備えている。アンテナは、文字板から０．５ｍｍを超える距離に配置される。この距離は、十分な受信を可能にするのに十分である。
【先行技術文献】
【特許文献】
【０００８】
【特許文献１】独国特許出願公開第３５０８３６６号明細書
【特許文献２】独国実用新案第８８１５９６７号明細書
【特許文献３】独国特許出願公開第４４４１４２４号明細書
【特許文献４】米国特許出願公開第２００６／１６４９２１号明細書
【発明の概要】
【発明が解決しようとする課題】
【０００９】
本発明の目的の１つは、既知の時計モジュールの制限がないアンテナ付き電子機械時計モジュールを提供することである。
【課題を解決するための手段】
【００１０】
本発明によると、課題は、
歯車列を介して、時間に関連又は関連しない機能の表示が意図された少なくとも１つの可動部を駆動する作動モジュールを備える主板を備える電子機械的時計モジュールが、
無線信号を送信及び／又は受信する無線通信モジュールと、
受信した無線信号によって作動モジュール（４０）を制御すべく形成されている制御ユニットと、
導電性材料から形成されていて、互いに電気的接触をなすが時計モジュールの他の部分からは電気的に絶縁されている、可動部及び歯車列と、
を備えて、
可動部は通信モジュールに電気的に接続されていて、無線信号の送信及び／又は受信のためのアンテナとして作動し、可動部と無線通信モジュールとの間に無線信号を送信する、電子機械的時計モジュールという手段によって達成される。
【００１１】
本発明のアンテナを備えた電子機械時計モジュールは、当該モジュールが導電性文字板を備え、導電性ケース内に配置されていると、良好なアンテナの発信及び受信性能を得られる。
【００１２】
本発明の実施例は、添付の図面によって図示されている説明に示される。
【図面の簡単な説明】
【００１３】
【図１】一実施形態による電子機械的時計モジュールを示す。
【図２】別の実施形態による電子機械的時計モジュールを示す。
【発明を実施するための形態】
【００１４】
電気機械式時計モジュール１を図１に示す。モジュール１は、歯車列４２を介して少なくとも１つの可動部３０を駆動する作動モジュール４０を備える主板１０を備える。可動部３０は、時間に関連する又は関連しない機能を表示することが意図されている。モジュール１は、無線信号を送信及び／又は受信するように構成された無線通信モジュール２と、受信した無線信号に応じて作動モジュール４０を制御するように構成された制御ユニット６とを備える。可動部３０及び歯車列４２は、導電性材料から製造され、互いに電気的に接触するが、時計モジュール１の他の部分からは電気的に絶縁されている。
【００１５】
可動部３０は、無線信号の送信及び／又は受信のためのアンテナとして機能し、可動部３０と無線通信モジュール２との間で無線信号を送信するように、通信モジュール２に電気的に接続される。
【００１６】
一実施形態では、作動モジュール４０は、モータ４１と、モータ４１の動きを可動部３０に伝達する歯車列４２とを備え、作動モジュール１４は、主板１０に電気的に接続されていない。
【００１７】
好ましくは、主板１０は、作動モジュール４０が取り付けられるプリント回路基板を備える。通信モジュール２のような時計モジュール１の他の電気部品又は電子部品も、プリント回路基板に取り付けてもよい。
【００１８】
実施の一形態によれば、作動モジュール４０は、歯車列４２を支持する歯車列板４４を備える。歯車列板４４は、好ましくは、非導電性材料から製造される。
【００１９】
図１の例では、作動モジュール４０は、３つのモータ４１ａ、４１ｂ、及び４１ｃを備え、各モータは、それぞれ、時針３１ａ、分針３１ｂ、及び秒針３１ｃの移動を可能にする。特に、作動モジュール４０は、それぞれが１つのコイル４１ａ、４１ｂ、４１ｃを担持する３つの枝部を含む固定子４３を備える。針３１ａ、３１ｂ、３１ｃは、主板１０の平面内で旋回可能に取り付けられている。３つの枝部は、互いに約１２０°の角度をなすものとしてもよい。固定子はまた、２つの同心円状に配置された手を駆動するために各枝部が１つのコイルを支える２分岐形状を有してもよい。
【００２０】
時計モジュール１は、１つ又はそれより多い針３１ａ、３１ｂ、３１ｃの角度位置に応じてインピーダンスを整合させるように構成された容量性回路を備えてもよい。
【００２１】
作動モジュール４０は、他の構成を有してもよく、単一の針のみ又は２針、あるいは複数のディスク又は他の任意のタイプの可動部さえも動かすように構成してもよい。例えば、作動モジュール４０は、レトログラード針を作動させる双方向モータを備えてもよい。
【００２２】
図２の例は、図１に示すような３つのモータ４１ａ、４１ｂ及び４１ｃを備え、時針、分針及び秒針を動かすことができる作動モジュール４０を備える別の構成のモジュールを示す（図２には図示なし）。また、モジュール１は、２つのモータ４１ｄ、４１ｅを備え、その固定子は１つの枝部を備え、それぞれが１つのディスク３２、例えば日付ディスクを駆動する。ディスク３２は、主板１０の平面内で旋回するように配置される。モータ４１ｄ、４１ｅのそれぞれは、手部、例えば双方向モータの場合にはレトログラード針を駆動するようにしてもよい。
【００２３】
実施の一形態によれば、可動部３０と無線通信モジュール２との間で無線信号を送信するように、バネ要素（図示せず）を構成してもよい。
【００２４】
再び実施の一形態によれば、可動部３０及び歯車列４２は、約５０オームのアンテナ抵抗を達成するように構成される。約５０オームのアンテナ抵抗は、可動部３０及び歯車列４２が作られる材料の選択を介して得られてもよい。
【００２５】
モジュール１は、文字板（図示なし）を備えてもよい。文字板は、好ましくは、可動部３０と歯車列４２とから電気的に絶縁されている。
【００２６】
モジュール１の有利な点は、文字板が任意の材料から製造されてもよいことである。
【００２７】
有利には、時計
【００２８】
本発明のモジュールは、請求項１から１２のいずれか一項に記載のモジュール（１）を備えるケースを備える時計に組み込まれ、ケースは可動部（３０）及び歯車列（４２）から電気的に絶縁される。
【符号の説明】
【００２９】
１        電子機械的時計モジュール
１０      主板
２        無線通信モジュール
３０      可動部
３１ａ    時間針
３１ｂ    分針
３１ｃ    秒針
３２      ディスク
４０      作動モジュール
４１      モータ
４１ａ、４１ｂと４１ｃ  コイル
４１ｄ、４１ｅ          コイル
４２      歯車列
４３      固定子
４４      歯車列板
６        制御ユニット
【図１】
2020531810.tif 000003
【図２】
2020531810.tif 000004
【手続補正書】
【提出日】令和2年6月22日(2020.6.22)
【手続補正１】
【補正対象書類名】明細書
【補正対象項目名】００１０
【補正方法】変更
【補正の内容】
【００１０】
本発明によると、課題は、
歯車列を介して、時間に関連又は関連しない機能の表示が意図された少なくとも１つの可動部を駆動する作動モジュールを備える主板を備える電子機械的時計モジュールが、
無線信号を送信及び／又は受信する無線通信モジュールと、
受信した無線信号によって作動モジュールを制御すべく形成されている制御ユニットと、
導電性材料から形成されていて、互いに電気的接触をなすが時計モジュールの他の部分からは電気的に絶縁されている、可動部及び歯車列と、
を備えて、
可動部は通信モジュールに電気的に接続されていて、無線信号の送信及び／又は受信のためのアンテナとして作動し、可動部と無線通信モジュールとの間に無線信号を送信する、電子機械的時計モジュールという手段によって達成される。
【手続補正２】
【補正対象書類名】明細書
【補正対象項目名】００１６
【補正方法】変更
【補正の内容】
【００１６】
一実施形態では、作動モジュール４０は、モータ４１と、モータ４１の動きを可動部３０に伝達する歯車列４２とを備え、作動モジュール４０は、主板１０に電気的に接続されていない。
【手続補正３】
【補正対象書類名】明細書
【補正対象項目名】００２７
【補正方法】削除
【補正の内容】
【手続補正４】
【補正対象書類名】明細書
【補正対象項目名】００２８
【補正方法】変更
【補正の内容】
【００２８】
本発明のモジュールは、本発明によると、モジュール１を備えるケースを備える時計に組み込まれ、ケースは可動部３０及び歯車列４２から電気的に絶縁される。
【手続補正５】
【補正対象書類名】特許請求の範囲
【補正対象項目名】全文
【補正方法】変更
【補正の内容】
【特許請求の範囲】
【請求項１】
歯車列を介して、時間に関連又は関連しない機能の表示が意図された少なくとも１つの可動部を駆動する作動モジュールを備える主板を備える電子機械的時計モジュールは、
無線信号を送信及び／又は受信する無線通信モジュールと、
受信した無線信号によって作動モジュールを制御すべく形成されている制御ユニットと、
導電性材料から形成されていて、互いに電気的接触をなすが時計モジュールの他の部分からは電気的に絶縁されている、可動部及び歯車列と、
を備えて、
可動部は通信モジュールに電気的に接続されていて、無線信号の送信及び／又は受信のためのアンテナとして作動し、可動部と無線通信モジュールとの間に無線信号を送信する、
電子機械的時計モジュール。
【請求項２】
作動モジュールは、モータと、モータの動きを可動部に伝える歯車列とを備え、作動モジュールは主板に電気的に接続されていない、請求項１に記載のモジュール。
【請求項３】
作動モジュールは、歯車列を支持する歯車列板を備え、歯車列板は非導電性材料から製造されている、請求項１に記載のモジュール。
【請求項４】
可動部と無線通信モジュールとの間に無線信号を送信するばね要素を備える、請求項１に記載のモジュール。
【請求項５】
可動部と歯車列とは、約５０オームのアンテナ抵抗を持つべく形成されている、請求項１に記載のモジュール。
【請求項６】
約５０オームのアンテナ抵抗は、可動部と、歯車列板と、歯車列とを形成する材料の選択によって得られている、請求項５に記載のモジュール。
【請求項７】
可動部は、主板の平面内で旋回可能に設けられているディスクを備える、請求項１に記載のモジュール。
【請求項８】
可動部は、主板の平面内で旋回可能に設けられている少なくとも１つ針を備える、請求項１に記載のモジュール。
【請求項９】
針の角度位置によるインピーダンスを整合する容量性回路を備える、請求項８に記載のモジュール。
【請求項１０】
モータは双方向ステッピングモータを備える、請求項１に記載のモジュール。
【請求項１１】
主板はプリント回路基板を備える、請求項１に記載のモジュール。
【請求項１２】
可動部と歯車列とから電気的に絶縁されている文字板を備える、請求項１に記載のモジュール。
【請求項１３】
請求項１に記載のモジュールを保有するケースを備える腕時計において、ケースが、可動部と歯車列とから電気的に絶縁されている、腕時計。
【国際調査報告】
2020531810.tif 000005
2020531810.tif 000006
2020531810.tif 000007
2020531810.tif 000008